(57)【要約】【課題】ノック体の押圧操作によって加圧するノック式の加圧筆記具において、加圧状態を解除する時に、インキ収容管内を加圧した密封空間部の容積をほとんど増加することなく密封空間部を開放するようにする。【解決手段】ノック体７の内部に、外側部に係止突部２４を設けたシリンダー２５を、係止突部２４をノック体７の側部に設けた係止孔２６に係止して、ノック体７に対して前後に移動可能に挿着する。筆記体５の後端部に密接状態でピストン１６を設けて、ピストン１６がシリンダー２５の内部を前後に移動可能に筆記体５を配する。ピストン１６とシリンダー２５との間にＶパッキン２８を設けて第１密閉部２９を形成する。ノック体７が前進することで、シリンダー２５の後端部３０が密閉され第２密閉部３４となるように第２の弾性リング３２を設ける。【選択図】図６
2010105172.tif 000002
【特許請求の範囲】
【請求項１】
ノック体への押圧操作により、軸筒内に、ばねにより後方に付勢状態で収容した筆記体の筆記先端部を軸筒の先端開口部より出没させるノック式出没機構と、筆記体のインキ収容管の後方空間部を加圧する加圧機構を具備したノック式の加圧筆記具であって、前記加圧機構が、ノック体の内部に、前後を開口し外側部に係止突部を設けたシリンダーを、係止突部をノック体の側部に内外を貫通させて設けた係止突部の軸心方向の長さより長い距離を有する係止孔に係止して、ノック体に対して前後に移動可能に挿着し、筆記体の後端部の外側部に、筆記体と一体または別部材で周状に密接状態でピストンを設け、筆記体を、シリンダーの内部にピストンを位置させてシリンダーに対して前後に移動可能に配し、ピストンの外側面とシリンダーの内側面との間に第１の弾性リングを配して第１密閉部を形成し、シリンダーの後端部またはノック体の内壁あるいはノック体内に連接して設けた部材に第２の弾性リングを設け、一端をピストンに当接し他端をノック体またはノック体の内部に連接して設けた部材に当接したノック体を後方へ付勢する第２ばねを配してなる構造で、ノック体が前進することで、第２の弾性リングがノック体の内壁あるいはノック体内に連接して設けた部材またはシリンダーの後端部に当接して第２密閉部を形成するとともに、第１密閉部および第２密閉部によりシリンダー内に密封空間部を形成し、ピストンが軸筒の内壁または軸筒内に設けた部材に当接して前進を阻止されてシリンダーおよびノック体が前進可能とし、ノック体の後退時に、シリンダーが、該シリンダーの係止突部がノック体の係止孔の前方の縁部に押圧されて後退することを特徴とする、ノック式の加圧筆記具。
【請求項２】
前記第１の弾性リングが、ＶパッキンまたはＹパッキンであり、拡開したパッキン部分を軸筒の後端側に向けて配してなる、請求項１に記載のノック式の加圧筆記具。
【請求項３】
前記ノック式出没機構が、ノック体の外周部に設けた係止部と軸筒に付設したクリップの玉部に設けた被係止部とで構成され、係止部を軸筒の外周部に設けたスライド孔より外方に突出させ、ノック体への押圧操作によりノック体が前進して、係止部を被係止部に係止することで、筆記体の筆記先端部が軸筒の先端開口部からの突出を維持してなる構造である、請求項１または２に記載のノック式の加圧筆記具。
【発明の詳細な説明】
【技術分野】
【０００１】
本発明は、インキを充填した筆記体の後端部に、ノック体への押圧操作により筆記体の筆記先端部を軸筒先端開口部より出没するノック式出没機構と、筆記体のインキ収容管の後方空間部を加圧する加圧機構を具備した、ノック式の加圧筆記具に関する。
【背景技術】
【０００２】
従来、インキを充填した筆記体の後端部に、ノック体への押圧操作により筆記体の筆記先端部を軸筒先端開口部より出没するノック式出没機構と、筆記体のインキ収容管の後方空間部を加圧する加圧機構を具備した、ノック式の加圧筆記具は知られている。例えば、特開２０００−３３５１７３号公報には、ノック機構の押出し操作および押出解除操作に連動させて出没可能にしてなるボールペンにおいて、後端部側を開放させてなるインキが充填されたインキ充填管と、該インキ充填管の開放後端部に設けた加圧ポンピング機構とを有し、加圧ポンピング機構は、前記ノック機構の押出し操作に連動させて前記インキ充填管内を加圧状態にポンピングし密封維持可能にするという技術が記載されている。
【０００３】
前記したようなノック式の加圧機構を有する筆記具においては、ノック機構の押出解除操作に連動してインキ充填管内の加圧状態を解除するが、例えば前記の開示された技術では、可動部材３２がガイドブッシュ３１内を後退し、可動部材３２に形成した通気溝３３にてインキ充填管２１内の加圧密封状態を開放する。インキ充填管２１内の加圧密封状態が開放されるまでは、可動部材３２が後退するので、後退した可動部材３２の部分のインキ充填管２１内の容積は増加することになり負圧状態となる。したがって、筆記によるインキの消費により加圧されたインキ充填管２１内が大気圧近傍に達していると、前記状態時において、大気圧よりも気圧の低い負圧状態となってしまい、インキ充填管２１内に充填されたインキがインキ充填管の後端側に逆流してしまい、後の筆記性能に影響が出たり、インキ充填管２１の後端から流出して、軸筒内をインキで汚してしまうという問題が発生する恐れがあった。
【特許文献１】特開２０００−３３５１７３号公報
【発明の開示】
【発明が解決しようとする課題】
【０００４】
本発明は、ノック体への押圧操作により、軸筒内にばねにより後方に付勢状態で収容した筆記体の筆記先端部を軸筒の先端開口部より出没させるノック式出没機構と、筆記体のインキ収容管の後方空間部を加圧する加圧機構を具備したノック式の加圧筆記具において、加圧状態を解除する時に、インキ収容管内を加圧した密封空間部の容積をほとんど増加することなく密封空間部を開放することが可能なノック式の加圧筆記具を得るものである。
【課題を解決するための手段】
【０００５】
本発明は、
「１．ノック体への押圧操作により、軸筒内に、ばねにより後方に付勢状態で収容した筆記体の筆記先端部を軸筒の先端開口部より出没させるノック式出没機構と、筆記体のインキ収容管の後方空間部を加圧する加圧機構を具備したノック式の加圧筆記具であって、前記加圧機構が、ノック体の内部に、前後を開口し外側部に係止突部を設けたシリンダーを、係止突部をノック体の側部に内外を貫通させて設けた係止突部の軸心方向の長さより長い距離を有する係止孔に係止して、ノック体に対して前後に移動可能に挿着し、筆記体の後端部の外側部に、筆記体と一体または別部材で周状に密接状態でピストンを設け、筆記体を、シリンダーの内部にピストンを位置させてシリンダーに対して前後に移動可能に配し、ピストンの外側面とシリンダーの内側面との間に第１の弾性リングを配して第１密閉部を形成し、シリンダーの後端部またはノック体の内壁あるいはノック体内に連接して設けた部材に第２の弾性リングを設け、一端をピストンに当接し他端をノック体またはノック体の内部に連接して設けた部材に当接したノック体を後方へ付勢する第２ばねを配してなる構造で、ノック体が前進することで、第２の弾性リングがノック体の内壁あるいはノック体内に連接して設けた部材またはシリンダーの後端部に当接して第２密閉部を形成するとともに、第１密閉部および第２密閉部によりシリンダー内に密封空間部を形成し、ピストンが軸筒の内壁または軸筒内に設けた部材に当接して前進を阻止されてシリンダーおよびノック体が前進可能とし、ノック体の後退時に、シリンダーが、該シリンダーの係止突部がノック体の係止孔の前方の縁部に押圧されて後退することを特徴とする、ノック式の加圧筆記具。
２．前記第１の弾性リングが、ＶパッキンまたはＹパッキンであり、拡開したパッキン部分を軸筒の後端側に向けて配してなる、前記１項に記載のノック式の加圧筆記具。
３．前記ノック式出没機構が、ノック体の外周部に設けた係止部と軸筒に付設したクリップの玉部に設けた被係止部とで構成され、係止部を軸筒の外周部に設けたスライド孔より外方に突出させ、ノック体への押圧操作によりノック体が前進して、係止部を被係止部に係止することで、筆記体の筆記先端部が軸筒の先端開口部からの突出を維持してなる構造である、前記１項または２項に記載のノック式の加圧筆記具。」
である。
【０００６】
本発明のノック式の加圧筆記具では、ノック式出没機構については、特に特定されない。従来より知られている機構のものを採用することができる。ノック式出没機構としては、例えば、カム溝、固定カム、回転カムおよびノック体とで構成される構造のものや、軸筒の外側部に設けた係止孔にノック体に設けた係止突部を係止することで、筆記体の筆記先端部が軸筒の先端開口部からの突出を維持してなる構造のものや、ノック体の外周部に設けた係止部と軸筒に付設したクリップの玉部に設けた被係止部とで構成され、係止部を軸筒の外周部に設けたスライド孔より外方に突出させ、ノック体への押圧操作によりノック体が前進して、係止部を被係止部に係止することで、筆記体の筆記先端部が軸筒の先端開口部からの突出を維持してなる構造のものを採用することができる。
【０００７】
本発明のノック式の加圧筆記具においては、筆記体を後方へ付勢するための第１ばねの取付荷重と、ノック体を後方へ付勢する第２ばねの取付荷重との大小関係は問題とならない。先ず、
第１ばねにおける取付荷重＜第２ばねにおける取付荷重
の場合の各部材の動作について簡単に説明すると、ノック体を押圧すると、ノック体の前進に連動して筆記体およびピストンが前進し、ピストンの前進にともない第１の弾性リングとの抵抗力によりシリンダーも前進する。ノック式出没機構により筆記体の筆記先端部を軸筒の先端開口部から突出して維持するが、その際、ピストンが軸筒の内壁または軸筒内に設けた部材に当接して前進を阻止されるので、シリンダーも前進することがなく、ノック体のみが前進可能となり、第２の弾性リングがノック体の内壁面あるいはノック体の内部に配した部材またはシリンダーの後端部に当接して第２密閉部を形成する。またさらにノック体が前進すると、第２の弾性リングに押圧されて、シリンダーもノック体とともに前進し、第１密閉部および第２密閉部により形成されたシリンダー内の密封空間部は容積が減少し、加圧される。
【０００８】
ノック体の後退時には、第２ばねの付勢力により、先ず、ノック体のみが後退し、第２の弾性リングがノック体の内壁面あるいはノック体の内部に配した部材またはシリンダーの後端部から離間し、第２密閉部を開放するので、前記密封空間部は開口する。次に、シリンダーが、該シリンダーの係止突部がノック体の係止孔の前方縁部に当接するので、ノック体に連動して後退するが、前記密封空間部は開口しているので、容積の増加による減圧が起こらない。次に、第１ばねの付勢力より筆記体とピストンが後退して、元の位置に戻る。
【０００９】
次に、
第１ばねにおける取付荷重＞第２ばねにおける取付荷重
の場合の各部材の動作について簡単に説明すると、ノック体を押圧すると、ノック体のみが前進し、第２の弾性リングがノック体の内壁面あるいはノック体の内部に配した部材またはシリンダーの後端部に当接して第２密閉部を形成する。さらにノック体が前進することにより、シリンダーが第２の弾性リングにより押圧され、ノック体の前進に連動してシリンダーも前進し、またさらにノック体が前進すると、第２の弾性リングに押圧されて、シリンダーもノック体とともに前進し、第１密閉部および第２密閉部により形成されたシリンダー内の密封空間部は容積が減少し、加圧される。さらに、ノック体とシリンダーがともに前進すると、第２ばねの付勢力によりピストンおよび筆記体も前進して、ノック式出没機構により筆記体の筆記先端部を軸筒の先端開口部から突出して維持する。その際、ピストンの先端部が軸筒の内壁または軸筒内に配した部材に当接する。
【００１０】
ノック体の後退時には、前記の場合と同様に、先ず、ノック体のみが後退し、第２の弾性リングがノック体の内壁面あるいはノック体の内部に配した部材またはシリンダーの後端部から離間し、第２密閉部を開放するので、前記密封空間部は開口し、前記密封空間部における容積の増加にともなう減圧が起こらない。
【００１１】
本発明において、前進とは、軸筒の先端開口部方向に移動することであり、その反対方向への移動を後退という。
【００１２】
本発明における第１の弾性リングおよび第２の弾性リングは、密閉性を考慮して、弾性変形可能なブチルゴム、フッ素ゴム、ブタジエンゴム、スチレンブタジエンゴム、ウレタンゴム、シリコンゴム、その他合成ゴム、熱可塑性エラストマー等、一般的に知られている材質の弾性体のなかから、空気透過量による密閉性を考慮して、適宜選択すればよいが、難空気透過性または非空気透過性の弾性体を用いることがよく、エピクロルヒドリンゴム（ＣＯ）を用いることが最も好適である。
【発明の効果】
【００１３】
本発明は、ノック体への押圧操作により、軸筒内にばねにより後方に付勢状態で収容した筆記体の筆記先端部を軸筒の先端開口部より出没させるノック式出没機構と、筆記体のインキ収容管の後方空間部を加圧する加圧機構を具備したノック式の加圧筆記具において、加圧状態を解除する時に、インキ収容管内を加圧した密封空間部の容積をほとんど増加することなく密封空間部を開放可能なノック式の加圧筆記具を得ることができた。
【００１４】
本発明ノック式の加圧筆記具は前記した構造なので、筆記体を後方へ付勢するためのばねにおける取付荷重と、ノック体を後方へ付勢する第２ばねにおける取付荷重との大小関係を問題とすることなく、加圧状態を解除する時に、インキ収容管内を加圧した密封空間部の容積をほとんど増加することなく密封空間部を開放することができ、各部材の動作においてばねの取付荷重を設定する必要がないので、設計上の煩わしさがない。
【００１５】
請求項２に係る発明とすることで、シリンダーがピストンに対して後退する際に、ＶパッキンまたはＹパッキンの拡開したパッキン部分のシリンダーに当接部分が内側に変形するので、パッキンによる抵抗力が弱まり、スムーズに後退することができる利点がある。
【００１６】
請求項３に係る発明とすることで、ノック式出没機構の構造が簡単で複雑でないので、容易に組立を行なうことができ製造コストの面や、軸筒の外径のスリム化において有利となる利点がある。
【発明を実施するための最良の形態】
【００１７】
本発明のノック式の加圧筆記具は、加圧機構を、筆記体の後端部に配したピストンと、インキ収容管の後方空間部を加圧するためのシリンダーで構成し、ノック体への押圧操作により、シリンダーがピストンに対して前進することで、インキ収容管の後方空間部を密封空間部とするとともに加圧し、シリンダーがピストンに対して後退することで前記密封空間部が開放する構造とするものである。
【実施例】
【００１８】
本発明のノック式の加圧筆記具の実施例を図面を用いて説明するが、本発明は以下の実施例に限定されるものではない。
図１〜図６に示すノック式の加圧筆記具１は、前軸２と後軸３を螺着して軸筒４を構成してある。筆記体５のインキ収容管６の後方には、従来から知られているノック式出没機構が配してある。ノック式出没機構について簡単に説明すると、ノック体７を前軸の先端開口部２ａ方向に押圧すると、ノック体７の外壁に形成した係止部８が、クリップ９の先端部９ａに設けた玉部１０に形成した被係止部１１に係止して、筆記体５の筆記先端部１２を、前軸の先端開口部２ａから突出した状態で維持し、クリップの後端部９ｂを押圧して、係止部８の被係止部１１への係止を解除すると、ノック体７が後退することで、筆記体５の筆記先端部１２が前軸の先端開口部２ａ内に没入する構造のものである。なお、本実施例におけるクリップ９の後端部９ｂにはばね１３が装着してあり、常にクリップ９の玉部１０が軸筒４側に押圧された状態にしてある。クリップ９の後端部９ｂを押圧することにより、クリップ１０と後軸３との連結部Ｒを支点とし、クリップ９の玉部１０を後軸３の外壁面から離間可能としてある。
【００１９】
本実施例における加圧機構は、先ず、筆記体５のインキ収容管６の後端部（図１において右側方向）には、図３に示すような、円筒部１４と該円筒部１４の後端に扁平の棒状のガイド部１５を連接した形状のピストン１６を装着してある。ガイド部１５は、ノック体７を後方へ付勢するためのばねを配した際に、ばねが軸径方向に変位しないようにするためのものである。前記円筒部１４は、ガイド部１５と反対側の開口した先端を有する第１円筒部１４ａと、該第１円筒部１４ａより外径が小径な第２円筒部１４ｂと、該第２円筒部１４ｂより外径が小径な第３円筒部１４ｃと、該第３円筒部１４ｃより外径が小径な第４円筒部１４ｄとの４段からなり、第３円筒部１４ｃの外側部には、凹溝に形成した弾性リング用固定部１７が周状に設けてあり、第４円筒部１４ｄには内外を連通する連通孔１８を対向した２カ所に設けてある。円筒部１４の内部も、外径に対応した形状となっている。
【００２０】
ピストン１６の内部には、インキ収容管６の後端部を、第３円筒部１４ｃの後端（図３の（ａ）において右側方向）に形成した、第４円筒部１４ｄにおける内径と同径に突出した突起部を周状に隣同士離間して設けて形成した突き当て部１９に突き当てて着脱自在に挿入してある。また、第２円筒部１４ｂの内部には、該第２円筒部１４ｂの内径より小径としたＯリング取付部２０を設けてあり、該Ｏリング取付部２０にＯリング２１を配してインキ収容管６の外側面に密接状態で装着してある。Ｏリング２１の前方（図１において左側方向）には，Ｏリングストッパー２２を設けて、筆記体５をピストン１６より抜き出す際に、Ｏリング２１が抜け落ちないようにしてある。
【００２１】
図１に示すように、前軸２とＯリングストッパー２２との間にばね２３を張架して、筆記体５およびピストン１６を後方（図１において右側方向）に付勢してある。
【００２２】
図４に示すような前後を開口し外側に係止突部２４を設けたシリンダー２５を、ピストン１６を覆うように、ピストン１６に対して前後動可能に、ピストン１６に形成した連通孔１８を塞ぐことのないように配し、また、前記係止突部２４を、図５に示すようにノック体７の側部に内外を貫通させて設けた前記係止突部２４の軸心方向の長さより長い距離を有する係止孔２６に係止して、ノック体７の内部に、ノック体７に対して前後に移動可能に遊嵌してある。
【００２３】
シリンダー２５は、図４に示すように、外径および内径が大径な大径部２５ａと中径な中径部２５ｂと小径な小径部２５ｃの３段で構成された形状としてあり、前記係止突部２４は小径部２５ｃに形成してあり、中径部２５ｂと小径部２５ｃをノック体７が被覆するように、シリンダー２５をノック体７の内部に遊嵌してある。
【００２４】
ノック体７は、図５に示すように、シリンダー２５の中径部２５ｂと小径部２５ｃを被覆する、前方大径部７ａと後方小径部７ｂの２段で構成された形状としてあり、前方大径部７ａの外側部には、ノック式出没機構におけるノック体７の玉部１０の被係止部１１に係止する係止部８を設けてある。また、前方に開口した切欠部２７を、前記係止部８に対して周上において９０度ずれた位置の対向した２カ所に設けてあり、前方大径部７ａが内側に変位することにより後軸３内への挿着を容易にしてある。
【００２５】
図６に示すように、ピストン１６に形成した弾性リング用固定部１７には、第２の弾性リングとしての市販されているＶパッキン２８を、該Ｖパッキン２８の拡開したパッキン部分２８ａをノック体７側に向け、パキン部分２８ａの一端をシリンダー２５の大径部２５ａの内壁面に当接して装着してあり、第１密閉部２９としてある。
【００２６】
シリンダー２５の後端部３０の後方のノック体７の内部に形成した内壁段部３１には、シリンダー２５の後端部３０に当接可能な当接部３２ａを尖端状に設けた、エピクロルヒドリンゴムで形成した第２の弾性リング３２を、シリンダー２５の後端部３０より離間して設けてある。
【００２７】
一端をピストン１６の円筒部１４の後端に、他端をノック体７の内壁段部３１に当接して第２ばね３３を張架し、ノック体７を常時、後軸３の後端方向に付勢している。
【００２８】
次に、加圧機構における動作について説明する。
筆記体５を後方へ付勢するための第１ばねにおける取付荷重と、ノック体７を後方へ付勢する第２ばねにおける取付荷重との大小関係によって動作は変わる。
第１ばね２３における取付荷重＜第２ばね３３における取付荷重
の場合について、図７〜図１０を用いて説明する。ノック体７への押圧操作により、先ず、図７に示すように、ノック体７が前進するとともに、ピストン１６およびシリンダー２５も連動して前進し、ピストン１６の先端部１６ａが前軸２の後端部２ｂに当接する。この時は、図７に示すように、ノック体７の係止部８はクリップ９の玉部１０に形成した被係止部１１に係止していない。
【００２９】
さらにノック体７が前進すると、図８に示すように、ピストン１６は前進を阻止されているので、ピストン１６およびシリンダー２５は前進することがなく、ノック体７の内壁段部３１に設けた第２の弾性リング３２の当接部３２ａがシリンダー２５の後端部３０に当接して第２密閉部３４を形成する。これにより、シリンダー２５内を、第１密閉部２９および第２密閉部３４により形成された密封空間部３５とする。
【００３０】
さらにノック体７が前進すると、図９に示すように、ノック体７の係止部８がクリップ９の玉部１０に形成した被係止部１１に係止して、筆記体５の筆記先端部（図示せず）を前軸の先端開口部（図示せず）から突出させ、その状態を維持するとともに、シリンダー２５が第２の弾性リング３２により押圧されてピストン１６に対して前進し、前記密封空間部３５の容積を減少することで密封空間部３５を加圧する。
【００３１】
クリップの後端部９ｂを押圧して、クリップ９の被係止部１１に係止したノック体７の係止部８を解除すると、図１０に示すように、第２ばね３３の付勢力によりノック体７が後退し、先ず、第２の弾性リング３２の当接部３２ａがシリンダー２５の後端部３０から離間し、第２密閉部３４を開放する。さらなるクリップ７の後退により、シリンダー２５が、該シリンダー２５の係止突部２４がノック体７の係止孔２６の前方の縁部２６ａに当接して押圧されて後退する。筆記体５を後方に付勢する第１ばね２３の付勢力が第２ばね３３の付勢力より大きくなり、筆記体５の筆記先端部（図示せず）が前軸の先端開口部内に没入し、元の位置に戻る。
【００３２】
第１ばね２３における取付荷重＞第２ばね３３における取付荷重
の場合について、図１１〜図１３を用いて説明する。ノック体７への押圧操作により、先ず、図１１に示すように、ノック体７のみが前進し、ノック体７の内壁段部３１に設けた第２の弾性リング３２の当接部３２ａがシリンダー２５の後端部３０に当接して第２密閉部３４を形成する。これにより、シリンダー２５内を、第１密閉部２９および第２密閉部３４により形成された密封空間部３５とする。
【００３３】
さらにノック体７が前進すると、図１２示すように、シリンダー２５が第２の弾性リング３２により押圧されてピストン１６に対して前進し、前記密封空間部３５の容積を減少することで密封空間部３５を加圧する。この時は、ノック体７の係止部８はクリップ９の玉部１０に形成した被係止部１１に係止していない。
【００３４】
さらに、ノック体７が前進すると、図１３に示すように、ピストン１６および筆記体５はシリンダー２５に押圧されて前進し、ピストン１６の先端が前軸２の後端部２ｂに当接するとともに、ノック体７の係止部８がクリップ９の玉部１０に形成した被係止部１１に係止して、筆記体５の筆記先端部（図示せず）を前軸の先端開口部から突出させ、その状態を維持する。
【００３５】
クリップの後端部９ｂを押圧して、クリップ９の被係止部１１に係止したノック体７の係止部８を解除すると、図示していないが、第１ばね２３の付勢力により筆記体５，ピストン１６、シリンダー２５およびノック７が連動して後退するために、前記密封空間部３５の容積を増加することがなく、さらに、第２ばね３３の付勢力によりノック体７が後退し、第２の弾性リング３２の当接部３２ａがシリンダー２５の後端部３０から離間し、第２密閉部３４を開放する。さらなるクリップ７の後退により、シリンダー２５が、該シリンダー２５の係止突部２４がノック体７の係止孔２６の前方の縁部２６ａに当接して押圧されて後退し、筆記体５の筆記先端部（図示せず）が前軸の先端開口部２ａ内に没入し、元の位置に戻る。
【産業上の利用可能性】
【００３６】
本発明のノック式の加圧筆記具は、インキやペン先の種類、ノック式出没機構の特定した構造に限定されるものではないので、ノック式筆記具に利用可能である。
【図面の簡単な説明】
【００３７】
【図１】本発明のノック式の加圧筆記具の実施例を示す、縦断面図である。
【図２】図１における筆記体の筆記先端部が突出した状態を示す図である。
【図３】図１におけるピストンを示し、（ａ）はピストンの拡大縦断面図であり、（ｂ）はピストンの拡大平面図である。
【図４】図１におけるシリンダーを示し、（ａ）はシリンダーの拡大縦断面図であり、（ｂ）はシリンダーの拡大平面図である。
【図５】図１におけるノック体を示し、（ａ）はノック体の拡大縦断面図であり、（ｂ）はノック体の拡大平面図である。
【図６】図１における要部の拡大縦断面図である。
【図７】本実施例のノック式の加圧筆記具のノック体を押圧した時の最初の状態を示す、要部の拡大縦断面図である。
【図８】図７において、ノック体がさらに前進し、第２密閉部が形成された状態を示す、要部の拡大縦断面図である。
【図９】図８において、ノック体がさらに前進し、筆記体の筆記先端部が突出した状態を示す、要部の拡大縦断面図である。
【図１０】図９において、ノック体を後退し、第２密閉部び密閉状態を開放した状態を示す、要部の拡大縦断面図である。
【図１１】本実施例のノック式の加圧筆記具のノック体を押圧した時の他の動作の最初の状態を示し、第２密閉部が形成された状態を示す、要部の拡大縦断面図である。
【図１２】図１１において、ノック体がさらに前進し、シリンダー内の密封空間部が加圧された状態を示す、要部の拡大縦断面図である。
【図１３】図１２において、ノック体がさらに前進し、筆記体の筆記先端部が突出した状態を示す、要部の拡大縦断面図である。
【符号の説明】
【００３８】
１  ノック式の加圧筆記具
４  軸筒
５  筆記体
６  インキ収容管
７  ノック体
１２  筆記先端部
１６  ピストン
２３  第１ばね
２４  係止突部
２５  シリンダー
２６  係止孔
２８  Ｖパッキン
２９  第１密閉部
３０  後端部
３２  第２の弾性リング
３３  第２ばね
３４  第２密閉部
３５  密封空間部
【図１】
2010105172.tif 000003
【図２】
2010105172.tif 000004
【図３】
2010105172.tif 000005
【図４】
2010105172.tif 000006
【図５】
2010105172.tif 000007
【図６】
2010105172.tif 000008
【図７】
2010105172.tif 000009
【図８】
2010105172.tif 000010
【図９】
2010105172.tif 000011
【図１０】
2010105172.tif 000012
【図１１】
2010105172.tif 000013
【図１２】
2010105172.tif 000014
【図１３】
2010105172.tif 000015